(57)【要約】【課題】工場プラント内に配置された各機器の補機操作スイッチに対応するコントロールセンターの遮断器を迅速に簡単に探し出し、作業時間を短縮し効率的にすることを目的とした新規な遮断器位置表示装置を提供する。【解決手段】縦横ます目状に各機器の遮断器を配置したコントロールセンター１を設け、上記ます目状の縦位置と横位置に符号を付して、この縦横符号により位置表示符号３とし、この位置表示符号３を各機器の補機操作スイッチ４又はその近傍に表示してある。【選択図】図１
2007318846.tif 000002
【特許請求の範囲】
【請求項１】
縦横ます目状に各機器の遮断器を配置したコントロールセンターを設け、上記ます目状の縦位置と横位置に符号を付して、この縦横符号により位置表示符号とし、この位置表示符号を各機器の補機操作スイッチ又はその近傍に表示してある遮断器位置表示装置。
【請求項２】
上記縦横ます目状内の遮断器と補機操作スイッチとを電気配線で連繋し、補機操作スイッチの操作状況を上記縦横ます目状内の遮断器にも表示するようにした上記請求項１に記載の遮断器位置表示装置。
【請求項３】
複数のプラントがある場合、それぞれのプラント名を特定し、このプラント名を上記位置表示符号に付してある上記請求項１又は２に記載の遮断器位置表示装置。
【発明の詳細な説明】
【技術分野】
【０００１】
本発明は、工場プラント内の電力系統の各遮断器の位置表示装置に関する。
【背景技術】
【０００２】
工場プラント内の電力系統には多数の機器の補機操作スイッチが配設されており、これに対応してコントロールセンターにも各補機操作スイッチに対応する遮断器が配置されている。ここで、コントロールセンターとは、各機器の遮断器が縦横に整列して配置された遮断器集合体である。
プラント内の機器を点検・修理等のために、この機器を確実に停止するときには、先ず、中央制御室にあり日常的に操作している補機操作スイッチを「停止」へ操作し、次に、この補機操作スイッチに対応する遮断器が設置されているコントロールセンター（通常、中央制御室から離れた建屋にある）に行き、安全のため補機操作スイッチの「引きロック停止」に加えて更に対応する遮断器を「ロック」操作する。
従前では、各補機操作スイッチに対応する機器の名称の頭文字、例えば給炭機であれば「キ」、循環ポンプであれば「シ」、復水ポンプであれば「フ」をとり、アイウエオ順の索引リストが作成され、索引リストには各機器に対応する遮断器のあるコントロールセンターの位置が明示されていた。そして、ある機器の遮断器を探し出してこれを停止する場合、上記索引リストから該当する遮断器の場所を探すのは、遮断器の数が多いこともあり、困難である。従って、現実には工場内の電気系統図から該当する遮断器の設置場所を探していた。
【発明の開示】
【発明が解決しようとする課題】
【０００３】
上記の通り、従前工場プラント内に配置された各機器の補機操作スイッチに対応する遮断器を探し出すことは困難であり、多くの無駄な時間を費やしていたという課題がある。
本発明は、上記課題に鑑み、工場プラント内に配置された各機器の補機操作スイッチに対応する遮断器の場所を迅速に簡単に探し出し、作業時間を短縮し効率的にすることを目的とした新規な遮断器位置表示装置を提供するものである。
【課題を解決するための手段】
【０００４】
そのために、本発明遮断器位置表示装置は、縦横ます目状に各機器の遮断器を配置したコントロールセンターを設け、上記ます目状の縦位置と横位置に符号を付して、この縦横符号により位置表示符号とし、この位置表示符号を各機器の補機操作スイッチ又はその近傍に表示してあるものである。
また、上記縦横ます目状内の遮断器と補機操作スイッチとを電気配線で連繋し、補機操作スイッチの操作状況を上記縦横ます目状内の遮断器にも表示するようにしたものである。
さらに、複数のプラントがある場合、それぞれのプラント名を特定し、このプラント名を上記位置表示符号に付してある。
【発明の効果】
【０００５】
本発明の遮断器位置表示装置は、縦横ます目状に各機器の遮断器を配置したコントロールセンターを設け、上記ます目状の縦位置と横位置に符号を付して、この縦横符号により位置表示符号とし、この位置表示符号を各機器の補機操作スイッチ又はその近傍に表示してあるから、上記縦位置と横位置の符号により、特定の機器の補機操作スイッチに対応する遮断器を迅速に簡単に探し出すことができ、特定の機器の補機操作スイッチに対応する遮断器を探し出す作業時間を短縮し効率的にすることができる効果がある。
また、上記縦横ます目状内の遮断器と補機操作スイッチとを電気配線で連繋し、補機操作スイッチの操作状況を上記縦横ます目状内の遮断器にも表示するようにしたから、コントロールセンターで特定の補機操作スイッチの操作状況を知ることができる効果がある。
さらに、複数のプラントがある場合、それぞれのプラント名を特定し、このプラント名を上記位置表示符号に付してあるから、複数のプラントがある場合、そのプラントを簡単、迅速に探し出すことができる効果がある。
【発明を実施するための最良の形態】
【０００６】
図面に示した実施例により本発明を説明する。
図１が工場プラントのコントロールセンター１の全体図である。ここでは数ある工場プラント、例えばＡ，Ｂ，Ｃ，ＤのうちのＣ所内のコントロールセンター１を示してある。このＣ所内を平面で見て、縦方向に１〜１２の列を想定し、横方向にＡ〜Ｇの列を想定し、コントロールセンター１に１〜１２の符号を付して縦列を設け、Ａ〜Ｇの符号を付して横列を設けた。図２にこのコントロールセンター１の一部の詳細を示してあり、ここでは縦位置４〜６と横位置Ａ〜Ｄを示してある。そして夫々の位置に、Ｃ所内に対応する位置に配置された各機器の遮断器２を収納してある。Ｃ所内の縦位置５と横位置Ｃの交わる位置にＡ給炭機が配置されている。従ってこのＡ給炭機の位置表示符号３は５Ｃとなる。
【０００７】
図３にＣ所内の縦位置５と横位置Ｃの交わる位置に配置されたＡ給炭機の補機操作スイッチ４の正面が示してあり、この補機操作スイッチ４の位置表示符号５Ｃを補機操作スイッチの表面に表示してある。図面に示した補機操作スイッチ４にはＣ−Ｃ／Ｃ−５Ｃと表示されているが、前のＣ−Ｃ／ＣはＣ所内コントロールセンターにあることを表示したもので、このＡ給炭機の位置表示符号は５Ｃである。
【０００８】
Ｃ所内コントロールセンター１に配置された遮断器２とＣ所内現場に配置された補機操作スイッチ４とは電気配線で連繋してあり、該補機操作スイッチ４の操作状況が上記遮断器にも表示されるようにしてある。即ち、図２に示すように各遮断器２のパネル上に表示ランプ５が設けてあり、補機操作スイッチが遮断され「停止」された際に該表示ランプ５が点灯するようにしてある。図示した実施例では、図２に示す５Ｃ位置のＡ給炭機の遮断器に設けられた表示ランプ５が点灯している。
【０００９】
上記のような構成からなる本発明遮断器位置表示装置であれば、縦横ます目状に遮断器を配置したコントロールセンター１の縦位置と横位置の符号により、位置表示符号が設けられ、この位置表示符号を補機操作スイッチ４又はその近傍に標示してあるから、この補機操作スイッチ４に対応する遮断器の位置を簡単、迅速に探し出すことができる。
【図面の簡単な説明】
【００１０】
【図１】本発明遮断器位置表示装置のコントロールセンターの全体図。
【図２】上記コントロールセンターの一部の詳細を示す正面図。
【図３】機器の補機操作スイッチの正面図。
【符号の説明】
【００１１】
１  コントロールセンター
２  遮断器
３  位置表示符号
４  補機操作スイッチ
５  表示ランプ
【図１】
2007318846.tif 000003
【図２】
2007318846.tif 000004
【図３】
2007318846.tif 000005